【手続補正書】
【提出日】平成29年4月24日(2017.4.24)
【手続補正１】
【補正対象書類名】明細書
【補正対象項目名】００２７
【補正方法】変更
【補正の内容】
【００２７】
いくつかの構成においては、変形ロック挙動は機械的接着を用いる方向ロックによって提供され、機械的接着は、ナノファイバー材料の使用によるファンデルワールス（Ｖａｎ  ｄｅｒ  Ｗａａｌｓ）力によって提供される。
【手続補正２】
【補正対象書類名】明細書
【補正対象項目名】００３５
【補正方法】変更
【補正の内容】
【００３５】
いくつかの構成においては、後頭隆起上又はその下方を通る部分は断続ストラップを含む。断続ストラップは、カップリングによって結合された第１ストラップセクション及び第２ストラップセクションを含み得る。カップリングは、第１ストラップセクションと、第２ストラップセクションとの間の相対運動を可能にし得る。相対運動は断続ストラップの長手方向軸線を中心とした回転運動を含み得る。
【手続補正３】
【補正対象書類名】明細書
【補正対象項目名】００４９
【補正方法】変更
【補正の内容】
【００４９】
【図１】本発明の特定の特徴、態様及び利点に従い配置及び構成された、ヘッドギアとともに利用可能な使用者インターフェースの斜視図である。
【図２】ヘッドギア装着及び調節の３つのフェーズの概略図であり、各フェーズに関連する力プロファイルも示す。
【図３】ヘッドギア装着及び調節の第１のフェーズの概略図であり、第１のフェーズに関連する力プロファイルも示す。
【図４】ヘッドギア装着及び調節の第２のフェーズの概略図であり、第２のフェーズに関連する力プロファイルも示す。
【図５】ヘッドギア装着及び調節の第３のフェーズの概略図であり、第３のフェーズに関連する力プロファイルも示す。
【図６】需要機構（ｄｅｍａｎｄ  ｍｅｃｈａｎｉｓｍ）に対し抵抗を有するヘッドギアに関連する力プロファイルのグラフ図である。
【図７Ａ】需要機構に対し抵抗を有するヘッドギアの一実施形態の概略図である。
【図７Ｂ】図７Ａに示されるヘッドギアの実施形態の図である。
【図８】需要機構に対し抵抗を有するヘッドギアの第２の実施形態の概略図である。
【図９】需要機構に対し抵抗を有するヘッドギアの第３の実施形態の概略図である。
【図１０】需要機構に対し抵抗を有するヘッドギアの第４の実施形態の概略図である。
【図１１Ａ】需要機構に対し抵抗を有するヘッドギアの第５の実施形態の概略図である。
【図１１Ｂ】図１１Ａに示されるヘッドギアの伸長及び後退の概略図である。
【図１１Ｃ】図１１Ａに示されるヘッドギアの一実施形態の図である。
【図１１Ｄ】図１１Ａに示されるヘッドギアの第２の実施形態の図である。
【図１２】需要機構に対し抵抗を有するヘッドギアの第６の実施形態の概略図である。
【図１３】需要機構に対し抵抗を有するヘッドギアの第７の実施形態の概略図である。
【図１４】伸長機構の始動に対して高い抵抗を有するヘッドギアに関連する力プロファイルのグラフ図である。
【図１５Ａ】伸長機構の始動に対して高い抵抗を有するヘッドギアの一実施形態の概略図である。
【図１５Ｂ】伸長機構の始動に対して高い抵抗を有するヘッドギアの第２の実施形態の概略図である。
【図１６】伸長機構の始動に対して高い抵抗を有するヘッドギアの第３の実施形態の概略図である。
【図１７】伸長機構に対して反復する高い抵抗を有するヘッドギアに関連する力プロファイルのグラフ図である。
【図１８Ａ】伸長に抵抗する機構とともに示される、伸長機構に対して反復する高い抵抗を有するヘッドギアの一実施形態の概略図である。
【図１８Ｂ】後退を可能にする機構とともに示される、図１８Ａに示される、伸長機構に対して反復する高い抵抗を有するヘッドギアの実施形態の概略図である。
【図１９Ａ】図１８Ａの実施形態の図である。
【図１９Ｂ】図１８Ａの実施形態の第２の図である。
【図２０】大ヒステリシス機構（ｌａｒｇｅ  ｈｙｓｔｅｒｅｓｉｓ  ｍｅｃｈａｎｉｓｍ）を有するヘッドギアに関連する力プロファイルのグラフ図である。
【図２１Ａ】自由運動を可能にする機構とともに示される、大ヒステリシス機構を有するヘッドギアの一実施形態の概略図である。
【図２１Ｂ】運動に対する高摩擦抵抗を提供する機構とともに図２１Ａに示されるヘッドギアの実施形態の概略図である。
【図２２】図２１Ａ及びＢに示されるヘッドギアの一実施形態の図である。
【図２３】大ヒステリシス機構を有するヘッドギアの第２、第３及び第４の実施形態の概略図である。
【図２４】大ヒステリシス機構を有するヘッドギアの第５の実施形態の概略図である。
【図２５Ａ】大ヒステリシス機構を有するヘッドギアの第６の実施形態の概略図である。
【図２５Ｂ】自由運動を可能にする機構とともに示される、図２５Ａに示されるヘッドギアの実施形態の別の概略図である。
【図２５Ｃ】運動に対する高摩擦抵抗を提供する機構とともに示される、図２５Ａに示されるヘッドギアの実施形態の第３の概略図である。
【図２６Ａ】大ヒステリシス機構を有するヘッドギアの一実施形態の図である。
【図２６Ｂ】図２６に示されるヘッドギアの第２の図である。
【図２７Ａ】大ヒステリシス機構を有するヘッドギアの第７の実施形態の概略図である。
【図２７Ｂ】後退モードにある、図２７Ａに示される実施形態の図である。
【図２７Ｃ】伸長を制限するモードにある、図２７Ａに示される実施形態の第２の図である。
【図２８Ａ】大ヒステリシス機構を有するヘッドギアの第８の実施形態の概略図である。
【図２８Ｂ】図２８Ａに示される実施形態の図である。
【図２８Ｃ】大ヒステリシス機構を有するヘッドギアの第９の実施形態の概略図である。
【図２９】大ヒステリシス機構を有するヘッドギアの第１０の実施形態の概略図である。
【図３０】緩い又はきついフィット性への調節を可能にするヘッドギアの力プロファイルのグラフ図である。
【図３１Ａ】本明細書中に記載される平衡フィット機構の１つを有するヘッドギアによって使用者の頭部に種々のＣＰＡＰ圧力で印加される力のグラフ図である。
【図３１Ｂ】本明細書中に記載される平衡フィット機構の１つを有しないヘッドギアによって使用者の頭部に種々のＣＰＡＰ圧力で印加される力のグラフ図である。
【図３１Ｃ】本明細書中に記載される平衡フィット機構の１つを有するヘッドギアと、本明細書中に記載される平衡フィット機構の１つを有しないヘッドギアとの間における、種々のＣＰＡＰ圧力で使用者の頭部に印加される力の差のグラフ図である。
【図３２】ハウジングのロックチャンバ内の可動ロック部材と、ロック部材によって係合されたコア部材とを用いる方向ロックの局部断面図である。
【図３３】図３２のロックに類似する方向ロックの局部断面図を示す。図３３の方向ロックは、スリップ力に作用し、ロックに二次ロック位置を提供する解放機構を含む。
【図３４】ロック部材のロック角度と、図３２及び図３３の方向ロックなどの方向ロックのスリップ力との間の関係を示すグラフである。
【図３５】図３３の方向ロックなどの二次ロック位置を有する方向ロックの解放要素の変化に起因し得るスリップ力の変化を示すグラフである。
【図３６】微細構造を用いた方向ロック機構を有するインターフェースアセンブリの断面図である。
【図３７】微細構造を含むインターフェースアセンブリの２つの部分を示す図３６のインターフェースアセンブリの一部の拡大図である。
【図３８】図３６及び図３７のインターフェースアセンブリの微細構造として用いられ得るマイクロファイバー又はナノファイバーの図である。
【図３９】図３６及び図３７のインターフェースアセンブリの微細構造として用いられ得る複数の突起の図である。
【図４０】平坦ストラップと、ハウジングによって支持されるロックプレートとを用いる方向ロックの側面図である。ロックプレートは解放位置にある。
【図４１】ロックプレートがロック位置にある図４０の方向ロックの側面図である。
【図４２】ロックプレートとストラップとの間の係合を強化する作動機構を示す図４０の方向ロックのロックプレート及びストラップの断面図である。
【図４３】使用者に取り付けられている、少なくとも１つの方向ロック機構を組み込んだインターフェースアセンブリの斜視図である。
【図４４】完全装着位置に近い位置にある図４３のインターフェースアセンブリの斜視図である。
【図４５】使用者に装着された図４３のインターフェースアセンブリの斜視図である。
【図４６】弛緩位置にある図４３のインターフェースアセンブリの方向ロック機構の側面図である。
【図４７】伸長位置にある図４６の方向ロック機構の側面図である。
【図４８】動作位置にある図４６の方向ロック機構の側面図である。
【図４９】図４６〜４８の方向ロック機構の弾性ストラップを形成する編組の一部を示す。
【図５０】圧縮位置にある図４９の編組を示す。
【図５１】伸長位置にある図４９の編組を示す。
【図５２】図４９の編組を作製するための機械及び方法を示す。
【図５３】弾性線維を組み込んだ編組の断面図である。
【図５４】平坦配向にある図５３の編組の図である。
【図５５】使用者に装着された断続ストラップ配置を有するヘッドギアアセンブリの後部部分の後部斜視図である。
【図５６】ストラップの一部が関節式カップリングによって結合されている、使用者に装着された断続ストラップ配置を有するヘッドギアアセンブリの後部部分の後部斜視図である。
【図５７】使用者に装着された、ヘッドギアアセンブリの後部部分と使用者インターフェースとの間にサイドストラップを有するインターフェースアセンブリの側面図である。
【図５８】使用者に装着された、ヘッドギアアセンブリの後部部分と使用者インターフェースとの間に一対のサイドストラップを三角形配置で有するインターフェースアセンブリの側面図である。
【図５９】モジュール式方向ロック機構の一部を形成し得る図４６〜４８のものに類似するロック機構の側面図である。
【図６０】マスクに組み付けられた図５９のロック機構の斜視図である。
【図６１】弾性部分及び非弾性部分を有し、完全なループを画定するヘッドギア機構の斜視図である。
【図６２】図６１のヘッドギア機構の頂面図である。
【図６３】比較的後退した位置にある図６１のヘッドギア機構の頂面図である。
【図６４】比較的伸長した位置にある図６１のヘッドギア機構の頂面図である。
【図６５】方向ロックの第１の配置例を示す図６１のヘッドギア機構の頂面図である。
【図６６】方向ロックの第２の配置例を示す図６１のヘッドギア機構の頂面図である。
【図６７】弾性部分及び非弾性部分を有し、断続ループを画定するヘッドギア機構の斜視図である。
【図６８】図６７のヘッドギア機構の頂面図である。
【図６９】比較的後退した位置にある図６７のヘッドギア機構の頂面図である。
【図７０】比較的伸長した位置にある図６７のヘッドギア機構の頂面図である。
【図７１】方向ロックの第１の配置例を示す図６７のヘッドギア機構の頂面図である。
【図７２】方向ロックの第２の配置例を示す図６７のヘッドギア機構の頂面図である。
【図７３】ＣＰＡＰ平衡フィット、カニューレ平衡フィット、ＣＰＡＰ動作エンベロープに対する高力弾性ストラップ及び低力弾性ストラップの力プロファイルを示すグラフである。
【図７４】多段式方向ロックの局部断面図である。
【図７５】多段式方向ロックの力プロファイルを示すグラフである。
【図７６】密閉式患者インターフェースを含む特定タイプの呼吸療法に伴う力の図表である。
【手続補正４】
【補正対象書類名】明細書
【補正対象項目名】００５３
【補正方法】変更
【補正の内容】
【００５３】
図７６を参照すると、密閉式患者インターフェースを用いる特定タイプの陽圧呼吸療法に伴う力の説明を容易にするための図表２３００が提供される。使用者の顔上で密閉する患者インターフェースに関しては、ブロック２３０２に示されるように、インターフェース（例えばマスク）は使用者の顔と協働して密閉チャンバを作製する。加圧呼吸ガスが密閉チャンバに送られ、使用者の顔から離そうとする力を発生させる。この力は（投影）密閉面積に陽圧を乗じたものに略等しく、多くの場合、ブロック２３０４に示されるように、「吹出」力と呼ばれる。ヘッドギアの機能は、ブロック２３０６に示されるように、吹出力に応答してマスクを拘束し、マスクを使用者の顔に対して平衡密閉状態に維持することである。ブロック２３０８に示されるように、吹出力はヘッドギアに応力を加え、それを伸長しようとし、ヘッドギアに張力をかける。加えて、ブロック２３１０に示されるように、ヘッドギアは、使用者の頭部の、ヘッドギアが接触している領域に力を印加する。
接触領域に印加される力はヘッドギアの「皮膚圧力（ｓｋｉｎ  ｐｒｅｓｓｕｒｅ）」と呼ばれ得る。シール１０４又はシール１０４とフレーム１０２との組み合わせによって画定されるチャンバ内の空気圧が上昇するにつれて、ヘッドギアによって印加される力はインターフェースアセンブリ１００が顔から持ち上がるのを抑制しようとする。したがって、ヘッドギアによって印加される力は全般的に増加し、マスク内の増加する圧力によって生じる増加する力に抗する。吹出力は任意の特定の圧力の種々のタイプ及びサイズのインターフェースで異なる。それでも、低い圧力が低い場合、あるいは、カニューレの場合で圧力がかからない場合、吹出力に抗するために必要な力は低下する。
【手続補正５】
【補正対象書類名】明細書
【補正対象項目名】００９１
【補正方法】変更
【補正の内容】
【００９１】
図１５Ｂの下図に示すように、スイッチ１０２６がコアストラップ１０３０に係合すると、スイッチ１０２６のローラボール１０２４とコアストラップ１０３０との間の摩擦がコアストラップ１０３０の更なる伸長に実質的に抵抗する。図１５Ａを参照して記載した構成と同様に、ヘッドギアを伸長させるように作用する、スイッチ１０２６のローラボール１０２４とコアストラップ１０３０との間の摩擦に打ち勝つ所定の力において、スイッチ１０２６は、枢動箇所１０２８の周りを枢動してコアストラップ１０３０を解放し、コアストラップ１０３０が自由に動くことを可能にすることによって位置を変化する。スイッチがこの位置にあることにより、ヘッドギアは実質的に自由に伸長又は後退する。ヘッドギアが小さな周長に戻るときなど、コアストラップ１０３０の動きの方向が反転すると、ローラボール１０２４はロッキングチャンバ１０２２の自由側に（図１５Ｂでは左に）移動し、スイッチ１０２６がリセットされる。コアストラップ１０３０がその後引っ張られる場合、機構１０２０は再度、上述のようにヘッドギアの更なる伸長に抵抗するためのローラボールロックとして機能する。磁石１０３２及び磁性部材１０３４はスイッチ１０２６を保持及びリセットするように機能してもよい。
【手続補正６】
【補正対象書類名】明細書
【補正対象項目名】０１３１
【補正方法】変更
【補正の内容】
【０１３１】
図２９は、大ヒステリシス用のローラボール機構の代替的実施形態を示す。コレット機構１７００は、一端が円錐形の２部品ハウジング１７０４、１７０６を含む。硬質管状ハウジングの端部のためのハウジング部材１７０４、１７０６は、非伸展コアストラップ１７１０の自由端部を収容する。ハウジングはコアストラップ１７１０の周りにカラーを形成するコレット部材１７０８を収容する。コレット部材１７０８は図示される実施形態のように切頭円錐形状を有することが好ましく、その長手方向に、コレット部材１７０８の拡張及び収縮を可能にするための１つ又は複数の切り溝を有してもよい。コレット部材１７０８が矢印１７１２によって示される方向、つまり、ハウジング内に形成された円錐形チャンバ内に引き込まれると、コレット部材１７０８は非伸展コアストラップ１７１０に強いクランプ力をかける。上述のローラボール機構と同様に、コレット部材１７０８がハウジングの円錐形チャンバに引き込まれると、コアストラップ１７１０は高い摩擦力を受ける。反対方向に引っ張られる場合、コアストラップ１７１０は実質的に自由に動く。
【手続補正７】
【補正対象書類名】明細書
【補正対象項目名】０１５１
【補正方法】変更
【補正の内容】
【０１５１】
図３６及び図３７は、要求に応じた抵抗を示す自己フィット式インターフェースアセンブリ１８５０を示す。示されるインターフェースアセンブリ１８５０はアセンブリの第１部分とアセンブリの第２部分との間の機械的接着を用いた方向ロック機能を提供する。好ましくは、インターフェースアセンブリ１８５０は、図７及び図８のものなど、インターフェースアセンブリ１８５０の２つの部分が相互作用し、インターフェースアセンブリ１８５０の伸長に応じた第１の力と、第２の、好ましくは、より低い後退力とを提供するという点で本明細書中に記載されるインターフェースと類似の手法で構成される。しかしながら、図３６及び図３７のインターフェースアセンブリ１８５０は、１つ又は両部分に、機械的接着、機械的インターロック、ファンデルワールス（Ｖａｎ  ｄｅｒ  Ｗａａｌｓ）力又は他の分子間力を提供する微細構造を用いてそのような方向ロッキングを提供することが好ましい。
【手続補正８】
【補正対象書類名】明細書
【補正対象項目名】０１５５
【補正方法】変更
【補正の内容】
【０１５５】
微細構造１８６０は伸長及び後退のいずれか又は両方における部分１８５６、１８５８の相対運動に対し所望のレベルの抵抗を提供するための任意の適切な配置のものとすることができる。好ましくは、いくつかの構成においては、微細構造１８６０は方向性を有するか、相対運動の方向に応じて異なるレベルの抵抗を生じる。図３８に示されるように、１つの好適な微細構造配置１８６０は、マイクロファイバー又はナノファイバーなどの、エレクトロスピニング法及び高分子材料のような任意の適切な材料を用いて作製され得る複数の繊維を含み得る。他の適切な方法及び／又は材料も使用してよい。繊維は所望であれば、方向性特性を提供するような適切な手法で配向され得る。
【手続補正９】
【補正対象書類名】明細書
【補正対象項目名】０１６０
【補正方法】変更
【補正の内容】
【０１６０】
上記機構と同様に、ストラップ１９０４とハウジング１９０６との相対運動によってインターフェースアセンブリの長さ又は周囲を調節できるように、ストラップ１９０４は、関連インターフェースアセンブリの第１部分に結合され得るか、関連インターフェースアセンブリの第１部分を形成することができ、ハウジング１９０６はインターフェースアセンブリの第２部分に結合され得るか、インターフェースアセンブリの第２部分を形成することができる。有利には、ストラップ１９０４は１つ又は複数の特性に関して異方性である。例えば、ストラップ１９０４は、幅方向に曲がる又は曲げる場合の方が高さ方向に曲げる場合に比べてより可撓性がある。したがって、インターフェースアセンブリに支持を提供し、マスク部分の望ましくない動きを阻止するために、ストラップ１９０４は使用者の頭部に合致する方向に曲がることができるが、高さ方向に曲がることには抵抗する。加えて、ストラップ１９０４を含む方向ロック１９００は、例えば、ヘッドギアストラップの側部、後部又は頂部部分などの、インターフェースアセンブリの、使用者の頭部に接する部分への使用に好適であり、おそらくは略円筒状コア部材を有するインターフェースに比べてより高い快適性を有する。しかしながら、方向ロック１９００は、使用者の頭部及びマスク部分に接する部分の間のヘッドギアの１つ又は両方の側部などのインターフェースアセンブリの他の部分又は位置にも使用され得る。
【手続補正１０】
【補正対象書類名】明細書
【補正対象項目名】０１８０
【補正方法】変更
【補正の内容】
【０１８０】
図５５は、インターフェースアセンブリ１９５０、本明細書中に開示される他のインターフェースアセンブリ、又は任意の他の適切なインターフェースとともに使用され得るヘッドギアアセンブリ１９５４の後部部分１９５６を示す。図５５に示されるヘッドギアアセンブリ１９５４の後部部分１９５６は、ストラップの長さ全体に負荷をかける区分化されていないストラップとは対照的に、負荷を分離する又は使用者の頭部に作用する不均一負荷を提供する断続した又は区分化されたストラップの形態の下後部セクション１９９０を含む。つまり、下後部セクション１９９０は、好ましくは断続している及び／又は間隔を空けて配置され、１つ若しくは複数のストラップ又はレース又はセクション１９９０の弱い部分などの、カップリング１９９２によって結合することができる第１部分１９９０ａ及び第２部分１９９０ｂを有する。セクション１９９０の長手方向軸線（セクション１９９０の長さ）に対する第１部分１９９０ａ及び第２部分１９９０ｂの相対的位置を実質的に固定するが、第１部分１９９０ａ及び第２部分１９９０ｂの、長手方向軸線に対する垂直方向又は回転方向の相対運動を可能とし得るために、カップリング１９９２は比較的又は実質的に非弾性とすることができる。そのような機構は関節式コネクタと呼ばれ得る。好ましくは、第１部分１９９０ａ及び第２部分１９９０ｂは使用者の頭部の後頭骨上又はその近傍に係合する後頭パッドを形成する。第１部分１９９０ａと第２部分１９９０ｂとの間のスペースは全般的に後頭隆起に周方向に配置することができ、下後部セクション１９９０は高さ方向において後頭隆起にあり得るかその下方にあり得る。好ましくは、後部部分１９５６は、また、使用者の頭部の頭頂部上に延在する上後部セクション１９９４を含む。下後部セクション１９９０の端部と上後部セクション１９９４の端部は使用者の各耳の略上の位置で互いに結合する。
【手続補正１１】
【補正対象書類名】明細書
【補正対象項目名】０１８３
【補正方法】変更
【補正の内容】
【０１８３】
図５７及び図５８は、インターフェースアセンブリ１９５０及び図４３〜５６とともに記載した関連構成要素に実質的に類似し得るインターフェースアセンブリの２つの様式を示す。したがって、記載されない図５７及び図５８のインターフェースアセンブリ１９５０の後部部分の詳細についてはインターフェースアセンブリ１９５０の対応する要素及び図４３〜５６とともに記載した関連構成要素と同じであるか類似すると想定され得る。あるいは、任意の他の適切な配置のものとすることができる。各インターフェースアセンブリ１９５０においては、各サイドストラップ１９５８（方向ロックを組み込むことができる、又は固定された長さとされ得る）は、使用者の耳の近傍に位置する箇所１９９６においてヘッドギアアセンブリ１９５４の後部部分１９５６に結合されている。好ましくは、箇所１９９６は、耳の前方に、且つ外耳が頭部に接合される上方位置（外耳の基部の頂部）に（例えば、略並んで）又はその近傍にある。サイドストラップ１９５８は箇所１９９６からマスク１９５２又は他のインターフェースまで延在する。図５７のインターフェースアセンブリ１９５０では、インターフェースアセンブリ１９５０の各側にある単一サイドストラップ１９５８は箇所１９９６からマスク１９５２まで延在する。図５８のインターフェースアセンブリ１９５０では、インターフェースアセンブリ１９５０の各側にある一対のサイドストラップ１９５８が箇所１９９６からマスク１９５２上の離間した位置まで延在して三角形配置を提供する。三角形配置は少なくともいくつかの場合においてマスク１９５２の安定性を増加する。好ましくは、上ストラップと下ストラップとの間で負荷が分離されるようにサイドストラップ１９５８の後方突起はヘッドギアアセンブリ１９５４の後部部分１９５６の上ストラップと下ストラップとの間を通る。このような配置の例及び更なる詳細については全体が参照により本明細書中に組み込まれる本出願人の米国特許出願公開第２０１３／００７４８４５号明細書に開示されている。上述のように、所望であれば、本明細書中に記載されるものなどの図５７及び図５８のインターフェースアセンブリ１９５０の任意の適切な位置に１つ又は複数の方向ロックが組み込まれ得る。
【手続補正１２】
【補正対象書類名】明細書
【補正対象項目名】０１９７
【補正方法】変更
【補正の内容】
【０１９７】
図７３は、また、高力弾性ストラップ２０９４及び低力弾性ストラップ２０９６の力プロファイルを、高ヒステリシス一方向摩擦力プロファイル２０９８と比較する。低力弾性ストラップは、カニューレの重量のみに打ち勝つことが可能な快適なフィット性を使用者に提供するためにカニューレとともに使用され得る。しかしながら、そのような配置は一般にホースの引張りなどの任意の大きな外力に適応することはできない。外力又はＣＰＡＰ治療の場合には吹出力に適応するために高力弾性ストラップが一般に必要とされる。高力弾性ストラップヘッドギアによって印加される力は一般にマスクに印加されることが予想される予想最大力に適応する一方で、予想最小頭部サイズ（マスクシステム動作エンベロープ２０８０によって示される）に適応するほど十分なものとすべきである。しかしながら、これには、吹出力が低い及び／又は力がない場合に必要とする力よりも高い最小力を印加するという欠点があり、使用者が不快になる可能性がある。一方向摩擦力プロファイル２０９８は、高力弾性ストラップ及び低力弾性ストラップ両方の利点を提供することを示す。つまり、一方向摩擦力プロファイル２０９８は吹出力又は外力がない場合、伸長に対する高い抵抗及び低い力を提供する。
【手続補正１３】
【補正対象書類名】明細書
【補正対象項目名】０２０４
【補正方法】変更
【補正の内容】
【０２０４】
しかしながら、第２ロック段階２１０４は、方向ロック２１００に所望の最大ロック力を提供することができる高力ロックとされ得る。第２ロック段階２１０４は、図７４に距離「ｂ」で示される、解放位置とロック位置との間におけるロック部材２１２２又はコア部材２１１０の移動を有し得る。いくつかの構成においては、距離「ｂ」は第１ロック段階２１０２の距離「ａ」よりも大きい。上述のように、第２ロック段階２１０４のロック角度βはロック角度αよりも大きくすることができ、これにより、いくつかの構成においては第１ロック段階２１０２よりも強いロック力を有する第２ロック段階２１０４となる可能性がある。第１ロック段階２１０２と第２ロック段階２１０４とを組み合わせると、対応するヘッドギア／インターフェースの小さな調整移動に応動する一方で、通常動作力又は予想動作力に対処するのに十分なロック力又は降伏力も提供する方向ロック２１００となり得る。
【手続補正１４】
【補正対象書類名】特許請求の範囲
【補正対象項目名】全文
【補正方法】変更
【補正の内容】
【特許請求の範囲】
【請求項１】
患者インターフェースシステムであって、
使用者の少なくとも鼻とシールを形成するように構成されたインターフェース部分と、
前記患者インターフェースシステムをガス送達システムに結合することを可能にするカップリングと、
前記インターフェース部分が前記使用者の頭部に配置及び保持されることを可能にするヘッドギアシステムであって、前記患者インターフェースシステムの使用時、弾性型伸長挙動から略非伸長型の挙動へと変形する機能を備えた変形ロック挙動を提供する、ヘッドギアシステムと
を含む、患者インターフェースシステム。
【請求項２】
前記変形ロック挙動が機械に基づく方向ロックによって提供される、請求項１に記載の患者インターフェースシステム。
【請求項３】
前記ヘッドギアシステムが約０．５Ｎ〜約６５Ｎの範囲の非伸長型挙動を提供する、請求項１又は２に記載の患者インターフェースシステム。
【請求項４】
前記変形ロック挙動が、ロック筐体と、可動ロック部材と、コア部材とを含む機械的な方向ロックによって提供される、請求項１〜３のいずれか一項に記載の患者インターフェースシステム。
【請求項５】
前記コア部材の断面寸法が約０．１ｍｍ〜約８ｍｍの範囲である、請求項４に記載の患者インターフェースシステム。
【請求項６】
前記ロック部材が前記コア部材に対して約０°〜約４５°の角度範囲にわたり移動可能である、請求項４又は５に記載の患者インターフェースシステム。
【請求項７】
前記ロック部材に作用し、且つロック保持力を制御する付勢機構を更に含む、請求項４〜６のいずれか一項に記載の患者インターフェースシステム。
【請求項８】
前記方向ロックがロックの作動を促進するための摩擦促進部を組み込む、請求項４〜７のいずれか一項に記載の患者インターフェースシステム。
【請求項９】
前記コア部材がコードである、請求項４〜８のいずれか一項に記載の患者インターフェースシステム。
【請求項１０】
前記コア部材がストラップである、請求項４〜８のいずれか一項に記載の患者インターフェースシステム。
【請求項１１】
前記弾性型伸長が、組み込まれた弾性要素を有する布バネを含む弾性型伸長システムによって提供される、請求項１〜１０のいずれか一項に記載の患者インターフェースシステム。
【請求項１２】
前記弾性要素が塑性変形する前に前記非弾性要素が伸長に対する物理的エンドストップを提供するように前記弾性要素と前記非弾性要素とが組み合わされる編組として前記布バネが構成される、請求項１１に記載の患者インターフェースシステム。
【請求項１３】
前記編組内の弾性要素の量が前記布バネの所望の力対伸長特性を実現するように選択される、請求項１２に記載の患者インターフェースシステム。
【請求項１４】
前記変形ロック挙動が、ハウジングと、前記ハウジング内の可動ロック部材と、コア部材とを含む機械的な方向ロックによって提供され、前記ハウジングが前記コア部材の動きを案内し、前記ハウジング及び前記ロック部材の両方が単一の一体型モジュールによって形成される、請求項１に記載の患者インターフェースシステム。
【請求項１５】
前記変形ロック挙動が、ロックモジュールと、非弾性部分と、弾性部分とを含む機械的な方向ロックによって提供され、前記ロックモジュールと、前記非弾性部分と、前記弾性部分とがモジュール式調整アセンブリを形成する、請求項１に記載の患者インターフェースシステム。
【請求項１６】
前記インターフェース部分がマスクであり、及び前記モジュール式調整アセンブリが前記マスクのフレームに結合されている、請求項１５に記載の患者インターフェースシステム。
【請求項１７】
前記フレームが、前記ロックモジュールを受け入れるスペースを画定する１つ又は複数の壁を含む、請求項１６に記載の患者インターフェースシステム。
【請求項１８】
前記モジュール式調整アセンブリが前記ヘッドギアシステムの一部に結合されている、請求項１５に記載の患者インターフェースシステム。
【請求項１９】
前記ヘッドギアシステムの一部が、下後部ストラップ及び頭頂部ストラップの少なくとも１つを含む後部部分である、請求項１６に記載の患者インターフェースシステム。
【請求項２０】
前記変形ロック挙動が第１ロック力を提供する第１ロック段階及び第２ロック力を提供する第２ロック段階を有し、前記第２ロック力が前記第１ロック力よりも大きい、請求項１〜１９のいずれか一項に記載の患者インターフェースシステム。
【請求項２１】
前記第１ロック段階が、前記第２ロック段階に比べて小さい伸長動作を有する前記略非伸長型の挙動へと転換する、請求項２０に記載の患者インターフェースシステム。